(57)【要約】【解決手段】  開示された実施形態は、１または複数のコンピュータ可読格納媒体に結合されている１または複数のプロセッサを備える装置を含むとしてよい。１または複数のプロセッサは、アップリンクマルチポイント協調（ＣｏＭＰ）動作をサポートするべく、チャネル状態情報基準信号（ＣＳＩ−ＲＳ）リソース構成情報、復調基準信号（ＤＭ−ＲＳ）、アップリンクサウンディング基準信号（ＳＲＳ）および電力制御パラメータを送受信するように構成されているとしてよい。他の実施形態を開示するとしてよい。【選択図】  図１
2015512183.tif 000002
【特許請求の範囲】
【請求項１】
複数の命令を格納する１または複数のコンピュータ可読格納媒体と、
前記１または複数のコンピュータ可読格納媒体に結合されている１または複数のプロセッサと
を備え、
前記１または複数のプロセッサは、前記複数の命令を実行することに応じて、
チャネル状態情報基準信号（ＣＳＩ−ＲＳ）リソース構成情報を受信し、
前記ＣＳＩ−ＲＳリソース構成情報に基づいて複数のＣＳＩ−ＲＳインデックスを決定し、
前記複数のＣＳＩ−ＲＳインデックスに基づいてアップリンクマルチポイント協調（ＣｏＭＰ）協調セットの複数のポイントを特定する装置。
【請求項２】
前記１または複数のプロセッサおよび前記１または複数のコンピュータ可読媒体は、前記装置の制御プレーン回路として構成され、
前記ＣＳＩ−ＲＳリソース構成情報は、ＣｏＭＰ初期化プロセスの一環として前記制御プレーン回路の無線リソース制御（ＲＲＣ）回路によって受信される請求項１に記載の装置。
【請求項３】
前記ＣＳＩ−ＲＳリソース構成情報は、ＣＳＩ−ＲＳに対応付けられている複数の送信パラメータを含み、前記複数の送信パラメータは、送信電力、周期、サブフレームオフセット、複数の初期化シードおよび利用されているアンテナポートの数のうち少なくとも１つを含む請求項１に記載の装置。
【請求項４】
前記複数のＣＳＩ−ＲＳインデックスは前記ＣＳＩ−ＲＳリソース構成情報に含まれているか、または、前記１または複数のプロセッサは、前記ＣＳＩ−ＲＳリソース構成情報に含まれている複数のＣＳＩ−ＲＳの順序に基づいて、前記複数のＣＳＩ−ＲＳインデックスを決定する請求項１に記載の装置。
【請求項５】
前記１または複数のプロセッサはさらに、
メッセージを受信し、
前記メッセージに基づいて、前記装置からアップリンクデータ送信を受信する前記アップリンクＣｏＭＰ協調セットの前記複数のポイントのサブセットを含むＣｏＭＰ  受信ポイント（ＲＰ）セットを決定し、
前記メッセージに基づいて、複数のアップリンク電力制御パラメータを決定する請求項１から４のいずれか一項に記載の装置。
【請求項６】
前記１または複数のプロセッサはさらに、
複数のＣｏＭＰ  ＲＰセットにそれぞれ対応している複数のアップリンク電力制御パラメータセットを受信し、
前記ＣｏＭＰ  ＲＰセットに対応するアップリンク電力制御パラメータセットに基づいて、前記複数のアップリンク電力制御パラメータを決定する請求項５に記載の装置。
【請求項７】
前記複数のアップリンク電力制御パラメータは、前記メッセージに含まれ、ターゲット信号ノイズ比およびαを含み、αは、部分的電力制御率パラメータである請求項５に記載の装置。
【請求項８】
前記１または複数のプロセッサはさらに、前記アップリンクＣｏＭＰ協調セットの１または複数のポイントからフィードバックされたメッセージに基づいてパスロス情報を決定する請求項１から４のいずれか一項に記載の装置。
【請求項９】
前記１または複数のプロセッサはさらに、前記装置によって測定される前記ＣＳＩ−ＲＳリソース構成情報の平均受信電力に基づいて前記パスロス情報を決定する請求項８に記載の装置。
【請求項１０】
前記１または複数のプロセッサはさらに、ＲＲＣメッセージを用いて受信した前記アップリンクＣｏＭＰ協調セットの前記複数のポイントのうち好ましい一のポイントの対応するＣＳＩ−ＲＳインデックスを準静的に決定し、前記複数のポイントのうち前記好ましい一のポイントは、前記装置からデータを能動的に受信する請求項１から４のいずれか一項に記載の装置。
【請求項１１】
前記１または複数のプロセッサはさらに、１または複数の仮想セル識別情報から複数のベースシーケンス、複数のグループホッピングパターンおよび複数のシーケンスホッピングパターンのうち少なくとも１つを導出する請求項１から４のいずれか一項に記載の装置。
【請求項１２】
前記１または複数のプロセッサは、
複数の受信ポイントセットにそれぞれ対応する複数のアップリンク電力制御パラメータセットのリストを受信し、
前記アップリンクＣｏＭＰ協調セットのサブセットである受信ポイントセットを決定し、
前記受信ポイントセットに対応するアップリンク電力制御パラメータセットを決定し、
前記アップリンク電力制御パラメータセットに基づいて前記受信ポイントセットに対する複数のアップリンク信号の送信を制御する請求項１から４のいずれか一項に記載の装置。
【請求項１３】
複数の命令を格納する１または複数のコンピュータ可読媒体と、
前記１または複数のコンピュータ可読媒体に結合されている１または複数のプロセッサと
を備え、
前記１または複数のプロセッサは、前記複数の命令を実行することに応じて、複数のアップリンク復調基準信号（ＤＭ−ＲＳ）のユーザ機器（ＵＥ）固有構成をサポートし、前記１または複数のプロセッサは、
複数のベースシーケンスをセルレベルで構成し、
１または複数のＵＥの複数の通信スケジュールを決定し、
決定した前記複数の通信スケジュールに基づいて、前記１または複数のＵＥに、前記複数のベースシーケンスからの対応する複数のベースシーケンスを動的に割り当てるｅＮｏｄｅＢ。
【請求項１４】
前記複数のベースシーケンスは、特定のマルチポイント協調（ＣｏＭＰ）リソース管理（ＣＲＭ）セットに対応付けられている請求項１３に記載のｅＮｏｄｅＢ。
【請求項１５】
前記アップリンクＤＭ−ＲＳは、前記１または複数のＵＥのそれぞれが前記複数のベースシーケンス、サイクリックシフト（ＣＳ）ホッピングパターン、グループホッピングパターン、シーケンスホッピングパターン、サイクリックシフト、および、前記１または複数のＵＥのそれぞれに対応付けられている複数のＤＭ−ＲＳシーケンスを決定するための直交カバーコード（ＯＣＣ）のうちの１つを選択できるようにする複数のパラメータを含む請求項１３または１４に記載のｅＮｏｄｅＢ。
【請求項１６】
前記１または複数のプロセッサは、
それぞれが前記複数のベースシーケンスのうち１つに対応する複数の仮想セル識別情報を、無線リソース制御（ＲＲＣ）レベルのブロードキャストシグナリングまたはＲＲＣレベルの専用シグナリングを用いて前記ＵＥに準静的にシグナリングするか、または、
ＲＲＣレベルのブロードキャストシグナリングまたはＲＲＣレベルの専用シグナリングを用いて、前記複数のベースシーケンスのうち１つに対応する一の仮想セル識別情報を前記ＵＥに準静的にシグナリングする請求項１３または１４に記載のｅＮｏｄｅＢ。
【請求項１７】
前記１または複数のプロセッサはさらに、
媒体アクセス制御−制御要素（ＭＡＣ−ＣＥ）を用いて複数の仮想セル識別情報のうち１つの動的な選択をシグナリングし、前記複数の仮想セル識別情報がブロードキャスト方式または専用方式のＲＲＣシグナリングを用いて準静的に前記ＵＥにシグナリングされる場合、前記複数の仮想セル識別情報のうち１つは、前記複数のベースシーケンスのうち１つの導出を可能とし、または、
前記１または複数のプロセッサはさらに、前記複数の仮想セル識別情報がブロードキャスト方式または専用方式のＲＲＣシグナリングを用いて前記ＵＥに準静的にシグナリングされる場合、複数のアップリンク電力制御パラメータを設定するために用いられるＭＡＣ−ＣＥメッセージングと、前記複数の仮想セル識別情報のうち１つの動的な選択とを組み合わせ、または、
前記１または複数のプロセッサはさらに、前記複数の仮想セル識別情報が準静的にブロードキャスト方式または専用方式のＲＲＣシグナリングを用いて前記ＵＥにシグナリングされる場合、前記複数の仮想セル識別情報のうち１つに割り当てられている複数のインデックスと共に、物理ダウンリンク制御チャネル（ＰＤＣＣＨ）によって搬送されるダウンリンク制御情報（ＤＣＩ）において、前記複数の仮想セル識別情報のうち１つの動的な選択をシグナリングする請求項１３または１４に記載のｅＮｏｄｅＢ。
【請求項１８】
前記１または複数のプロセッサはさらに、アップリンクＣｏＭＰ動作においてＳＲＳの容量を高めるべく８個または８個を超える数のサイクリックシフト値のうち１つをシグナリングする請求項１３に記載のｅＮｏｄｅＢ。
【請求項１９】
前記１または複数のプロセッサは、複数のＳＲＳ送信のオープンループ電力制御について前記１または複数のＵＥが利用可能なパスロス情報を取得するべく、複数のチャネル状態情報リソース信号（ＣＳＩ−ＲＳ）インデックスのうち対応する１つによって指定される複数の受信ポイントのうち好ましい一の受信ポイントを準静的にシグナリングする請求項１３または１４に記載のｅＮｏｄｅＢ。
【請求項２０】
前記１または複数のプロセッサは、アップリンクＣｏＭＰ協調セットに対応する複数のＣＳＩ−ＲＳリソースインデックスに対する複数の信号を持つ前記アップリンクＣｏＭＰ協調セットに基づいて、複数のＳＲＳ送信の複数の電力制御パラメータを調整する請求項１３または１４に記載のｅＮｏｄｅＢ。
【請求項２１】
ユーザ機器（ＵＥ）に、
前記ＵＥが接続されているセルのサウンディング基準信号（ＳＲＳ）パラメータの複数のセットを、無線リソース制御（ＲＲＣ）シグナリングを用いて、受信する手順と、
ＳＲＳ送信の為に利用されるべき、前記複数のセットから選択されたＳＲＳパラメータのセットを示す情報を、ＲＲＣレベルのシグナリングまたは媒体アクセス制御（ＭＡＣ）レベルのシグナリングを用いて、受信する手順と
を実行させるためのプログラムであって、
前記複数のセットは、前記セルによってブロードキャストまたはユニキャストされるプログラム。
【請求項２２】
前記ＵＥにさらに、アップリンクマルチポイント協調（ＣｏＭＰ）協調セットに対応する複数のＣＳＩ−ＲＳリソースインデックスに対する複数の信号を持つ前記アップリンクＣｏＭＰ協調セットに基づいて、複数のＳＲＳ送信の複数の電力制御パラメータを調整する手順を実行させるための請求項２１に記載のプログラム。
【請求項２３】
ｅＮｏｄｅＢに、
複数のマルチポイント協調（ＣｏＭＰ）動作をサポートさせ、
動的な確認応答（ＡＣＫ）／否定確認応答（ＮＡＣＫ）を搬送する物理アップリンク制御チャネル（ＰＵＣＣＨ）の動的リソース配分のために、ＵＥ固有ＡＣＫおよびＮＡＣＫリソースオフセットＮ（１）ＰＵＣＣＨを決定する手順と、
前記ＵＥ固有ＡＣＫおよびＮＡＣＫリソースオフセットＮ（１）ＰＵＣＣＨを対応するＵＥに送信する手順と
を実行させるためのプログラム。
【請求項２４】
前記ｅＮｏｄｅＢに、
ＰＵＣＣＨ形式１ａおよび１ｂについて前記ＵＥ固有ＡＣＫおよびＮＡＣＫリソースオフセットＮ（１）ＰＵＣＣＨを決定する手順を実行させ、
前記ＰＵＣＣＨ形式１ａおよび１ｂは、物理セルＩＤを利用する請求項２３に記載のプログラム。
【請求項２５】
前記ｅＮｏｄｅＢに、ＵＥが利用するＰＵＣＣＨ形式毎に異なる仮想セルＩＤインデックスを送信する手順を実行させるための請求項２３または２４に記載のプログラム。
【発明の詳細な説明】
【技術分野】
【０００１】
＜関連出願＞
本願は、米国特許出願第１３／５３６，７２２号（出願日：２０１２年６月２８日、発明の名称：「ＵＰＬＩＮＫ  ＣＯＯＲＤＩＮＡＴＥＤ  ＭＵＬＴＩ−ＰＯＩＮＴ」）および米国仮特許出願第６１／５９１，６４１号（出願日：２０１２年１月２７日、発明の名称：「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」）に基づく優先権を主張する。両文献の開示内容は全て、参照により本願に組み込まれる。
【０００２】
本発明の実施形態は、概して通信分野に関し、具体的には無線通信ネットワークにおけるアップリンクのマルチポイント協調動作に関する。
【背景技術】
【０００３】
マルチポイント協調（ＣｏＭＰ）は、システムスペクトル効率およびセルエッジユーザスループット性能を改善するために利用され得る干渉回避方式である。ＣｏＭＰは、複数のｅＮＢの間の送信を調整することによって、他のセルに対する干渉を回避するために用いられるとしてよい。
【図面の簡単な説明】
【０００４】
本発明の実施形態は、添付図面において制限するためではなく一例として図示されている。添付図面において、同様の参照番号は同様の構成要素を意味する。
【図１】さまざまな実施形態に係る無線通信ネットワークを示す概略図である。
【図２】さまざまな実施形態に係るＵＥ固有ＳＲＳパラメータをシグナリングするための処理を説明するフローチャートである。
【図３】さまざまな実施形態に係る、ＵＬ  ＣｏＭＰを効率的にサポートするための、物理アップリンク制御チャネル（ＰＵＣＣＨ）リソース配分およびＰＵＣＣＨシーケンス割り当てを説明するフローチャートである。
【図４】さまざまな実施形態に係る、ＵＥ固有ＵＬ  ＤＭ−ＲＳパラメータをシグナリングするための処理を説明するフローチャートである。
【図５】さまざまな実施形態に係るシステムの例を示す概略図である。
【発明を実施するための形態】
【０００５】
本開示の実施形態は、無線通信ネットワークにおけるアップリンク（ＵＬ）マルチポイント協調（ＣｏＭＰ）に関するとしてよい。具体的に、本開示の実施形態は、ＵＬ  ＣｏＭＰ動作のための制御シグナリングフレームワークの側面を定義することに関するとしてよい。
【０００６】
実施形態例のさまざまな側面は、当業者同士が研究内容を伝えるために一般的に用いる単語を用いて説明される。しかし、説明する側面の一部を用いて幾つかの別の実施形態を実施し得ることは当業者には明らかである。説明の便宜上、実施形態例を深く理解していただくべく具体的な数、材料および構成を記載する。しかし、記載した具体的且つ詳細な内容を利用することなく別の実施形態を実施し得ることは当業者には明らかである。また、公知の特徴は、実施形態例をあいまいにしないように、省略するか簡単に説明している。
【０００７】
さらに、さまざまな処理を、実施形態例を最も理解し易い方法で順次行われる複数の別個の処理として説明する。しかし、説明した順序は、これらの処理を必ずしもその順序で行うことを意味すると解釈されるべきではない。具体的には、このような処理は提示した順序で実行する必要はない。
【０００８】
「一実施形態」という表現は繰り返し用いられる。この表現は概して、同じ実施形態を意味するものではないが、その場合もある。「備える（ｃｏｍｐｒｉｓｉｎｇ）」、「有する（ｈａｖｉｎｇ）」、「ｉｎｃｌｕｄｉｎｇ（含む）」といった用語は、特に明記されていない限り、同義語である。「Ａ／Ｂ」という表現は「ＡまたはＢ」を意味する。「Ａおよび／またはＢ」という表現は、「（Ａ）、（Ｂ）または（ＡおよびＢ）」を意味する。「Ａ、ＢおよびＣのうち少なくとも１つ」という表現は、「（Ａ）、（Ｂ）、（Ｃ）、（ＡおよびＢ）、（ＡおよびＣ）、（ＢおよびＣ）または（Ａ、ＢおよびＣ）」を意味する。「（Ａ）Ｂ」という表現は、「（Ｂ）または（Ａ  Ｂ）」を意味する。つまり、Ａは任意である。
【０００９】
本明細書で用いる場合、「モジュール」という用語は、特定用途向け集積回路（ＡＳＩＣ）、電子回路、１または複数のソフトウェアプログラムまたはファームウェアプログラムを実行するプロセッサ（共有、専用または群）および／またはメモリ（共有、専用または群）、組み合わせロジック回路、および／または、説明した機能を提供する他の適切なコンポーネントを意味するか、これらの一部であるか、または、これらを含むとしてよい。
【００１０】
図１は、さまざまな実施形態に係る無線通信ネットワーク１００を示す概略図である。無線通信ネットワーク１００（以下では「ネットワーク１００」と呼ぶ）は、エボルブドユニバーサルモバイルテレコミュニケーションシステム（ＵＭＴＳ）テレストリアルラジオアクセスネットワーク（Ｅ−ＵＴＲＡＮ）等の第三世代パートナーシッププロジェクト（３ＧＰＰ）のロングタームエボリューション（ＬＴＥ）ネットワークのアクセスネットワークであってよい。ネットワーク１００は、アップリンク（ＵＬ）マルチポイント協調（ＣｏＭＰ）動作をサポートするように構成されているとしてよい。ＵＬ  ＣｏＭＰ動作については、現在のところ３ＧＰＰ標準化機関によって定義されている仕様は無い。ＵＬ  ＣｏＭＰ動作は、ＵＥからデータを受信する予定のポイントセットであるＵＬ  ＣｏＭＰ協調セットを決定することを含むとしてよい。ＵＬ  ＣｏＭＰ協調セットは、ＵＥ固有であってよく、ＵＥにシグナリングされると、無線リソース制御（ＲＲＣ）シグナリングまたは媒体アクセス制御（ＭＡＣ）シグナリングによって動的に設定または変更されるとしてよい。ネットワーク１００は、モバイルデバイスまたは端末を含むとしてよい。例えば、複数の基地局、例えば、エンハンスドノード基地局（ｅＮＢ）１０８ａ、１０８ｂおよび１０８ｃ（１０８と総称）と無線通信を行うように構成されているユーザ機器（ＵＥ）１０４を含むとしてよい。本発明の実施形態はＬＴＥネットワークに基づいて説明するが、一部の実施形態は他の種類の無線アクセスネットワークでも利用され得る。
【００１１】
ＵＥ１０４およびｅＮＢ１０８は、ネットワーク１００においてＵＬ  ＣｏＭＰ動作をサポートするべく制御シグナリングパラメータおよびメッセージシグナリングパラメータを決定、提供および／または受信するように構成されているとしてよい。制御シグナリングパラメータおよびメッセージシグナリングパラメータは、チャネル状態情報基準信号（ＣＳＩ−ＲＳ）リソース構成パラメータ、オープンループ電力制御パラメータ、ＵＬ復調基準信号（ＤＭ−ＲＳ）パラメータ、サウンディング基準信号（ＳＲＳ）パラメータ、および、物理アップリンク制御チャネル（ＰＵＣＣＨ）リソース配分に関連するパラメータを含むとしてよい。これらのパラメータの決定、提供および／または受信を可能とするＵＥ１０４およびｅＮＢ１０８の構成については、パラメータ毎に後述する。
【００１２】
ＵＥ１０４は、１または複数のアンテナ１１６に結合されている通信モジュール１１２を含むとしてよい。通信モジュール１１２は、１または複数のアンテナ１１６に結合されている物理層回路１１８、ＭＡＣ層回路１２０、ユーザプレーン回路１２２、制御プレーン回路１２４およびＲＲＣ回路１２６を含むとしてよい。図示されているように、制御プレーン回路１２４およびユーザプレーン回路１２２は、ＭＡＣ層回路１２０を介して、物理層回路１１８に通信可能に結合されているとしてよい。言い換えると、ＭＡＣ層回路１２０は、物理層回路１１８との間でユーザプレーン信号および／または制御プレーン信号を通信するように構成されているインターフェースであってよい。また、ＲＲＣ回路１２６は、制御プレーン回路１２４に組み込まれているとしてよい。
【００１３】
さまざまな実施形態によると、複数のｅＮＢ１０８はまとめて一のＵＬ  ＣｏＭＰ協調セットとして構成されているとしてよく、１または複数のｅＮＢ１０８は、ＵＥ１０４に対してＵＬ  ＣｏＭＰ受信ポイント（ＲＰ）セットとして構成されているとしてよい。ＵＬ  ＣｏＭＰ  ＲＰセットは、ＵＥ１０４からデータを能動的に受信するポイントセットであってよい。ＵＬ  ＣｏＭＰ  ＲＰセットは、ＵＬ  ＣｏＭＰ協調セットの一部分であってよい。ｅＮＢ１０８ａは、通信モジュール１２８および１または複数のアンテナ１３０を含むとしてよい。通信モジュール１２８は、物理層回路１３２、ＭＡＣ層回路１３４、ユーザプレーン回路１３８および制御プレーン回路１３８を含むとしてよい。また、ＭＡＣ層回路１３４は、ＭＡＣ制御要素（ＭＡＣ−ＣＥ）回路１４２を含むとしてよく、制御プレーン回路１４０は、ＲＲＣ回路１４４を含むとしてよい。制御プレーン回路１３２およびユーザプレーン回路１３８は、ＭＡＣ層回路１３４を介して物理層回路１３２に通信可能に結合されているとしてよい。言い換えると、ＭＡＣ層回路１３４は、ユーザプレーン信号および／または制御プレーン信号を物理層回路１３２との間で通信するように構成されているインターフェースであってよい。
【００１４】
ｅＮＢ１０８ｂおよび１０８ｃは、ネットワーク１００におけるＵＬ  ＣｏＭＰ動作をサポートするべく、制御シグナリングパラメータおよびメッセージシグナリングパラメータを決定、提供および／または受信するという、ｅＮＢ１０８ａと同様の特徴を持つとしてよい。
【００１５】
ＣＳＩ−ＲＳリソース構成は、送信電力、周期、サブフレームオフセット、初期化シード、および、ＵＥ１０４および／またはｅＮＢ１０８で利用可能なアンテナポートの数に関する情報を含むとしてよい。一実施形態によると、ＣＳＩ−ＲＳは、ＵＥ１０４に特定のポイント、例えば、受信ポイントを識別させて選択させるための情報を含むとしてよい。ｅＮＢ１０８ａは、制御シグナリングに基づくＣｏＭＰ初期化プロセスによってＣＳＩ−ＲＳリソース構成を提供するとしてよい。例えば、ｅＮＢ１０８ａは、ＲＲＣシグナリングによってＣＳＩ−ＲＳリソース構成をＲＲＣ回路１４４に提供するとしてよい。
【００１６】
ｅＮＢ１０８ａは、定義されている場合、ＣｏＭＰリソースマネジメント（ＣＲＭ）セット内の各ＣＳＩ−ＲＳリソースにインデックスを割り当てるように構成されているとしてよい。ＣＲＭセットは、ＣＳＩ−ＲＳを利用した受信信号測定を実施して報告し得るＣＳＩ−ＲＳリソースセットであるとしてよい。ｅＮＢ１０８ａは、これに代えて、ＵＥ１０４のＵＬ送信のパスロス推定について測定するポイントセットに含まれる各ＣＳＩ−ＲＳリソースにインデックスを割り当てるように構成されているとしてよい。ｅＮＢ１０８ａは、ＣＳＩ−ＲＳ構成メッセージに含まれるＣＳＩ−ＲＳの順序に基づきインデックスを黙示的に割り当てるとしてよい。または、ｅＮＢ１０８は、３−４ビットのインデックスを各ＣＳＩ−ＲＳリソースに割り当てるとしてよい。実施形態によると、ＣＳＩ−ＲＳリソースインデックスは、ＲＲＣの構成または初期化の一環として、割り当てられるとしてよい。
【００１７】
これに代えて、ｅＮＢ１０８ａは、ＣＳＩ−ＲＳ構成メッセージに含まれるＣＳＩ−ＲＳの順序に基づき、各ＣＳＩ−ＲＳリソースにインデックスを割り当てるとしてよい。
【００１８】
ｅＮＢ１０８ａは、ダウンリンクのＣｏＭＰのＣＳＩ−ＲＳリソース構成を再利用するように構成されているとしてよい。例えば、ｅＮＢ１０８ａは、ＵＬ  ＣｏＭＰをサポートするシグナリング構成情報を容易にするべく、ＤＬ  ＣｏＭＰのＣＳＩ−ＲＳリソース構成を再利用するように構成されているとしてよい。これに代えて、ｅＮＢ１０８ａは、ＵＬ  ＣｏＭＰ開始時において、再利用されたＣＳＩ−ＲＳ構成を独立して組み込むとしてよい。さらに、ｅＮＢ１０８ａは、後述するように、追加のＵＬパラメータを特定してシグナリングするべく、ＣＳＩ−ＲＳリソース構成を利用するとしてよい。
【００１９】
ＵＥ１０４および／またはｅＮＢ１０８ａは、ＵＬ  ＣｏＭＰ協調セットに含まれる各ポイントのそれぞれのＣＳＩ−ＲＳリソースインデックスを用いて、当該ポイントを識別するように構成されているとしてよい。したがって、各ＣＳＩ−ＲＳリソースインデックスは、その後のシグナリングにおいて、特定のＣＳＩ−ＲＳリソースに対するポインタとして利用されるとしてよい。ｅＮＢ１０８ａがＲＲＣ構成においてＣＳＩ−ＲＳリソースインデックスを割り当てる場合、ｅＮＢ１０８は、対応するＲＲＣメッセージに含まれるＣＳＩ−ＲＳの順序に基づいてインデックスを明示的または黙示的に定義するとしてよい。ｅＮＢ１０８は、ＤＬ動作およびＵＬ動作について、ＣＳＩ−ＲＳインデックスを同様に割り当てるとしてよい。しかし、さまざまな実施形態によると、ＵＬ  ＣｏＭＰ協調セットは、ＤＬ  ＣｏＭＰ  ＣＳＩ測定セットとは異なる場合がある。
【００２０】
ＵＥ１０４および／またはｅＮＢ１０８は、ＲＰをＣｏＭＰ  ＲＰセットから除去するか、または、ＲＰをＣｏＭＰ  ＲＰセットに追加するかに基づいて、ＵＬ電力制御（ＰＣ）パラメータを選択、決定または更新するように構成されるとしてよい。一実施形態に係るＵＬ  ＰＣパラメータセットの例は、表１に定義されているとしてよい。
【表１】
2015512183.tif 000003
【００２１】
本開示のさまざまな実施形態によると、ＣｏＭＰ  ＲＰセットにおいてＲＰが追加または削除／置換される度に、ＵＥ１０４および／またはｅＮＢ１０８ａは、ＵＬ  ＰＣパラメータを更新または再定義するとしてよい。
【００２２】
第１の実施形態によると、ｅＮＢ１０８ａは、動的なＲＲＣメッセージ、ＭＡＣメッセージまたは物理層（ＰＨＹ）メッセージにおいて、電力制御パラメータを設定または決定するとしてよい。実施形態によると、ｅＮＢ１０８ａは、同じＲＲＣメッセージ、ＭＡＣメッセージまたはＰＨＹメッセージにおいて、ＵＬ  ＰＣパラメータを設定し、ＣｏＭＰ  ＲＰセットを示すとしてよい。同じＲＲＣメッセージ、ＭＡＣメッセージまたはＰＨＹメッセージにおいてＣｏＭＰ  ＲＰセットを示すものとしてＰＣパラメータを設定することで、ＰＣパラメータを設定するために用いられる他の技術よりも高い柔軟性が得られるとしてよい。
【００２３】
ＵＥ１０４の制御プレーン回路１２４は、ＲＲＣメッセージ、ＭＡＣメッセージまたはＰＨＹメッセージを受信するように構成されているとしてよく、当該メッセージに基づいてＵＥ１０４のＵＬ  ＰＣパラメータを決定するように構成されているとしてよい。
【００２４】
ＵＬ  ＰＣパラメータは、セル毎に固有であるか、準静的に決まるとしてよい。このため、第２の実施形態によると、ｅＮＢ１０８ａは、ＲＰのさまざまな組み合わせに適用可能なＵＬ  ＰＣパラメータセットのリストまたはセットを生成するように構成されているとしてよい。ｅＮＢ１０８ａは、ポイントのＣＳＩ−ＲＳリソースインデックスに基づいて、ＵＬ  ＰＣパラメータセットのリストまたはセットを生成するとしてよい。ＵＥ１０４のＲＲＣ回路１２６はこの後、ＲＲＣメッセージングを用いて、ＵＬ  ＰＣパラメータセットのリストまたはセットを受信するとしてよい。ＵＬ  ＰＣパラメータセットのリストまたはセットはこの後、例えば、ＭＡＣ層回路１３４とＭＡＣ層回路１２０との間、または、ＭＡＣ−ＣＥ回路１４２とＭＡＣ回路１２０との間において、ＭＡＣシグナリングによって更新されるとしてよい。ＣｏＭＰ  ＲＰセットのＭＡＣ層動的シグナリングによって、ＵＥ１０４の制御プレーン回路１２４は、更新されたＵＬ  ＰＣパラメータを適用するとしてよい。
【００２５】
少数のＲＰセットが共同受信について許可を持つ場合、または、協調したスケジューリングおよびビームフォーミング（ＣＳ／ＣＢ）ベースのＵＬ  ＣｏＭＰを用いる場合、ｅＮＢ１０８ａによってＵＬ  ＰＣパラメータセットのリストまたはセットを生成することは、ＣｏＭＰ  ＲＰセットを示すために用いられる同じ動的メッセージにおいてＵＬ  ＰＣパラメータを設定することよりも高効率であるとしてよい。
【００２６】
有利な点として、ＵＬ  ＰＣパラメータをＣｏＭＰ  ＲＰセットに含まれるポイントのＣＳＩ−ＲＳリソースインデックスで参照することで、ＵＥ１０４は、ＣＳＩ−ＲＳにおいてＵＥ１０４が測定する平均受信電力を用いてパスロス情報を決定できる場合がある。最適化−シグナリングオーバーヘッドのトレードオフ関係に基づき、特に移動が少ないシナリオの場合、ＲＲＣ層を用いて好ましいＲＰのみのＣＳＩ−ＲＳリソースインデックスを準静的にシグナリングすることで十分であるとしてよい。実施形態において、移動が少ないシナリオは、速度が約３ｋｍ／ｈおよびそれ以下の場合を含む。
【００２７】
ｅＮＢ１０８ａがＵＬ  ＰＣパラメータおよびパスロスオフセット値をＵＥ毎に構成する場合、ＵＥ１０４の制御プレーン回路１２４は、ｅＮＢ１０８ａによるＲＲＣメッセージング、ＭＡＣメッセージングまたはＰＨＹメッセージングを用いて、ＵＬ  ＰＣパラメータおよびパスロスオフセット値のリストにおける適切なインデックスのシグナリングによって、ＵＬ  ＰＣパラメータおよびパスロスオフセット値を直接受信するとしてよい。
【００２８】
ＵＬ  ＤＭ−ＲＳのパラメータは、ＵＥ１０４がＵＥ１０４用のＤＭ−ＲＳシーケンスについてベースシーケンス、サイクリックシフト（ＣＳ）および直交カバーコード（ＯＣＣ）を選択できるようにするためのパラメータを含む。
【００２９】
ＵＬ  ＣｏＭＰで用いられる予定のＤＭ−ＲＳシーケンス割り当てがＵＥ固有である場合、制御プレーン回路１４０は、ベースシーケンスおよびＣＳの両方をＵＥ固有で割り当てるとしてよい。ＤＭ−ＲＳシーケンスをＵＥ毎に構成するべく、ｅＮＢ１０８ａは、セル毎に１つのベースシーケンスのみと対応付ける代わりに、セルレベルにおいて限られた数のベースシーケンスを構成するとしてよい。ＣＲＭセットに含まれる複数の異なるポイントに対応付けられているベースシーケンスのセット同士の間には重なる部分がある場合がある。このため、ｅＮＢ１０８ａは、このＣＲＭセットのベースシーケンスのセットから一のベースシーケンスをＵＥ１０４等のスケジューリングされたＵＥに動的に割り当てるとしてよい。ｅＮＢ１０８ａは、ｅＮＢ１０８ａにおけるスケジューリング決定結果に基づいてスケジューリングされたＵＥに動的に割り当てるとしてよい。
【００３０】
ｅＮＢ１０８ａは、準静的に、例えば、ＲＲＣレベルにおいて、ブロードキャストシグナリングまたは専用シグナリングによって、ベースシーケンスのスーパーセットを構成するとしてよい。尚、ＬＴＥ  Ｒｅｌ−１０仕様によると、セル固有ベースシーケンスは物理セルＩＤ（ＰＣＩ）を用いて導出される。ベースシーケンスのこのセットのＲＲＣ構成もまた、セルＩＤの利用に基づいて決まるとしてよい。
【００３１】
さまざまな実施形態によると、ｅＮＢ１０８ａは、ベースシーケンス、グループホッピングパターンおよびシーケンスホッピングパターンを導出するために用いられるベースシーケンスシードの算出のために仮想セルＩＤ（ＶＣＩＤ）を確保するとしてよい。これに代えて、ｅＮＢ１０８ａは、ベースシーケンス、グループホッピングパターンおよびシーケンスホッピングパターンを導出するために用いられるべきシードの値を直接列挙するＲＲＣ構成を利用するとしてよい。実施形態によると、ＤＭ−ＲＳシーケンスを動的に指定すること（後述）は、ｅＮＢ１０８ａが準静的なＲＲＣシグナリングによってＶＣＩＤ／ベースシーケンスシードのスーパーセットではなく、一のＶＣＩＤを構成する場合、必要ない。
【００３２】
ＤＭ−ＲＳシーケンスの動的な指定について、ｅＮＢ１０８ａは、所与のＵＥについてＵＬ  ＣｏＭＰが利用すべきシード／ＶＣＩＤの動的な選択をシグナリングするべく、ＭＡＣ−ＣＥ回路１４２を利用するとしてよい。ｅＮＢ１０８ａは、ＵＬ  ＰＣ設定について利用されるＭＡＣ−ＣＥメッセージングと、シード／仮想セルＩＤの動的な選択とを組み合わせるとしてよい。ｅＮＢ１０８ａは、構成メッセージにおけるシード／ＶＣＩＤに対して、明示的または黙示的なインデックスを用いて、例えば、一部の所定の順序を用いて、物理ダウンリンク制御チャネル（ＰＤＣＣＨ）が搬送するダウンリンク制御情報（ＤＣＩ）を用いて、シード／仮想セルＩＤの動的な選択をシグナリングするべく物理層回路１３２を利用するとしてよい。
【００３３】
ｅＮＢ１０８ａおよびＵＥ１０４は、ＵＬ  ＤＭ−ＲＳについてＣＳの値を決定するように構成されているとしてよい。ｅＮＢ１０８ａおよびＵＥ１０４は、ｎ（１）ＤＭＲＳ、ｎ（２）ＤＭＲＳ，λ、ｎＰＮ（ｎｓ）という３つのパラメータに基づいてＣＳを導出するとしてよい。ｎ（１）ＤＭＲＳは、ＬＴＥ  Ｒｅｌ−１０（非ＣｏＭＰ）動作と同様に、ＭＡＣおよびＲＲＣ等のより高いレイヤによって提供され得るｃｙｃｌｉｃｓｈｉｆｔ（３ＧＰＰ  ＴＳ  ３６．２１１の表５．５．２．１．１−２によって定められている）と呼ばれるパラメータによって定められているＣＳパラメータである。ｎ（２）ＤＭＲＳ，λは、送信すべきＤＭ−ＲＳシーケンスを生成するべくＵＥ１０４によって用いるべきＣＳおよびＯＣＣを示すＣＳパラメータである。ｅＮＢ１０８ａは、Ｒｅｌ−１０（非ＣｏＭＰ）動作において採用されているように、物理ダウンリンク制御チャネル（ＰＤＣＣＨ）に含まれ得る、対応する物理アップリンク共有チャネル（ＰＵＳＣＨ）送信に対応付けられている輸送ブロックの最新のアップリンクに関連するＤＣＩを介してｎ（２）ＤＭＲＳ，λをシグナリングするとしてよい。ｎＰＮ（ｎｓ）は、ＵＥ１０４が用いるＣＳ間でのスロット毎のホッピングメカニズムを定義し、Ｒｅｌ−１０仕様に応じて物理セルＩＤから導出されるＣＳパラメータである。ｎＰＮ（ｎｓ）の適用は、ベースシーケンスの導出に用いられるのと同じシード／ＶＣＩＤに応じて決まるか、または、ベースシーケンスの導出に用いられるシード／ＶＣＩＤとは無関係にｅＮＢ１０８ａによってシグナリングされるとしてよい。また、ＵＬ  ＣｏＭＰについてＵＬ  ＤＭ−ＲＳのユーザ容量を増加させるべく、ＵＥ１０４または／およびｅＮＢ１０８ａがシグナリングすることが可能なＣＳの数は、ＤＣＩにおいて追加ビットを１つ利用することによって、８からそれ以上の数、例えば、１２まで拡張するとしてよい。
【００３４】
ＵＬ  ＤＭ−ＲＳ送信を多重化するべくＯＣＣがｅＮＢ１０８ａによって用いられる場合、ＯＣＣ情報は、ｎ（２）ＤＭＲＳ，λパラメータを用いてＵＥ固有に構成されるとしてよく、Ｒｅｌ−１０（非ＣｏＭＰ）動作と同様に、ＰＤＣＣＨが搬送するＤＣＩを介して動的にＵＥに通信されるとしてよい。
【００３５】
ｅＮＢ１０８ａがＳＲＳベースシーケンスのＵＥ固有割り当てを利用する場合、ｅＮＢ１０８ａは、ＵＥ固有のＵＬ  ＤＭ−ＲＳについて説明したのと同様の方法でＳＲＳパラメータをシグナリングするように構成されているとしてよい。言い換えると、ｅＮＢ１０８ａは、ブロードキャスト／ユニキャストＲＲＣシグナリングを用いて限られた一連の選択肢の準静的な設定の組み合わせでＳＲＳパラメータをシグナリングするとしてよく、その後で、ＲＲＣまたはＭＡＣメッセージングレベルにおいてＵＥ毎に動的な設定を行うとしてよい。ＵＥ固有ＤＭ−ＲＳの場合と同様に、動的シグナリングは、ＳＲＳベースシーケンスの一の選択肢のみ（シードまたはＶＣＩＤの明示的なＲＲＣシグナリングに基づき）がＲＲＣを用いて準静的に構成される場合には、利点が増えるわけではないとしてよい。高効率のＵＬ  ＣｏＭＰ動作についてＳＲＳのユーザ容量を増加させるためには、シグナリング可能なＣＳの数は、ＤＣＩにおいて追加ビットを１つ利用することによって、８からそれ以上の数、例えば、１６へと拡張され得る。
【００３６】
ＳＲＳ送信用のＵＬ  ＰＣパラメータは、ＵＬ  ＣｏＭＰ協調セットに基づいて、ＵＬ  ＣｏＭＰ協調セットに対応するＣＳＩ−ＲＳリソースインデックスのシグナリング共に、ＵＬ  ＰＣパラメータのシグナリングに関して（ＰＵＳＣＨ／ＰＵＣＣＨ送信）前述したのと同様の方法で選択されるとしてよい。ＳＲＳ  ＰＣについては、ＲＲＣ層回路１２６および１４４を用いて、ＳＲＳのオープンループ電力制御（ＯＬＰＣ）についてＵＥが利用するパスロス情報について好ましいＣＳＩ−ＲＳリソースインデックスのみを準静的にシグナリングすることで十分であるとしてよい。
【００３７】
ＰＵＣＣＨリソース配分パラメータは、ＰＵＣＣＨ形式１ａ／１ｂの動的リソース指定のためのＵＥ固有ＡＣＫ／ＮＡＣＫリソースオフセット（Ｎ（１）ＰＵＣＣＨ）を含むとしてよい。Ｎ（１）ＰＵＣＣＨは、動的ＡＣＫ／ＮＡＣＫの開始位置を指定する。ＵＥ固有ＡＣＫ／ＮＡＣＫリソースオフセットシグナリングによって、アップリンク情報をピコセル、例えば、ｅＮＢ１０８ａに送信している間にＵＥ１０４がダウンリンク情報をマクロセル、例えば、ｅＮＢ１０８ｂから受信する場合にピコセルにおいて発生する可能性のある衝突が減るとしてよい。ＰＵＣＣＨリソース配分パラメータは、ＵＥ毎にＵＬ  ＣｏＭＰ協調セットの構成を含むとしてよい。さらに、ｅＮＢ１０８ａは、ＣｏＭＰセット内の隣接するセルのＵＥによるＰＵＣＣＨ送信同士の干渉直交化の改善から、および／または、ＣｏＭＰシナリオ４と同様に（３ＧＰＰ  ＴＲ  ３６．８１９で定義されているように）多くの低電力ノード（ＬＰＮ）が一のマクロノードと同じセル識別情報を共有するシナリオの場合のエリア分割ゲインから、ゲインを得るべく、ＲＲＣ層回路１４４を用いてＵＥ毎にＰＵＣＣＨベースシーケンスを生成するべくＶＣＩＤ値をシグナリングするとしてよい。さまざまな実施形態によると、ＰＵＳＣＨＤＭ−ＲＳ、ＰＵＣＣＨおよびＳＲＳのベースシーケンスシードまたはＶＣＩＤの値は、自由に決められるとしてよい。
【００３８】
図２は、実施形態に係る、ＵＥ固有ＳＲＳパラメータをシグナリングする処理を説明するためのフローチャート２００を示す。
【００３９】
ブロック２０２において、ＵＥは、ＲＲＣシグナリングを用いて、ＵＥが接続されているセルのＳＲＳパラメータの複数のセットを受信するとしてよい。ＳＲＳパラメータの複数のセットは、セルによって、ブロードキャストまたはユニキャストされるとしてよい。
【００４０】
ブロック２０４において、ＵＥは、ＲＲＣレベルのシグナリングまたは媒体アクセス制御（ＭＡＣ）レベルのシグナリングを用いて、複数のセットから選択された、ＳＲＳ送信に利用されるべきＳＲＳパラメータのセットの情報を受信するとしてよい。ＳＲＳパラメータのセットの情報を受信することで、ＵＥに他の情報に基づいてＳＲＳパラメータを決定させる代わりに、ＵＥが有限のパラメータのセットから選択できるようになることで、ＵＥは効率的に動作することが出来るようになるとしてよい。
【００４１】
実施形態によると、ｅＮＢは、ＵＬ  ＣｏＭＰ動作におけるＳＲＳの容量を高めるべく、８個より多いサイクリックシフト値をシグナリングするように構成されているとしてよい。ｅＮＢはさらに、特定のＣＳＩ−ＲＳインデックスが指定する複数のＲＰのうち好ましい一のＲＰを準静的に決定してシグナリングするように構成されているとしてよい。好ましいＲＰを準静的にシグナリングすることによって、ＵＥは、ＳＲＳ送信のオープンループ電力制御パラメータを決定する際にＵＥが利用するパスロス情報を取得することができるとしてよい。ＵＥは、ｅＮＢからＣＳＩ−ＲＳインデックスを受信するとしてよく、ｅＮＢからのＲＲＣメッセージに基づき、ＵＬ  ＣｏＭＰ協調セットの複数のＲＰのうち好ましい一のＲＰのそれぞれのＣＳＩ−ＲＳインデックスを準静的に決定するとしてよい。
【００４２】
他の実施形態によると、ＵＥは、ＵＬ  ＣｏＭＰ協調セットに基づいて、ＳＲＳ送信の電力制御パラメータを調整することが可能となっているか、または、そのように構成されているとしてよい。ＵＥは、ＵＬ  ＣｏＭＰ協調セットに対応するｅＮＢがシグナリングする複数のＣＳＩ−ＲＳリソースインデックスに対応する電力制御パラメータを調整するとしてよい。
【００４３】
図３は、ＵＬ  ＣｏＭＰを効率的にサポートするためのＰＵＣＣＨシーケンス割り当ておよびＰＵＣＣＨリソース配分を説明するフローチャート３００である。
【００４４】
ブロック３０２において、ＵＥは、例えば、３ＧＰＰ  ＴＳ３６．２１１に定められているＰＵＣＣＨ形式１ａ／１ｂ、動的ＡＣＫ／ＮＡＣＫを持つＰＵＣＣＨを送信するためのＵＥ固有ＡＣＫ／ＮＡＣＫリソースオフセットＮ（１）ＰＵＣＣＨを決定するように構成されているとしてよい。
【００４５】
ブロック３０４において、ＵＥは、ポイント間干渉緩和が改善され、および／または、エリア分割ゲインを持つＵＬ  ＣｏＭＰをサポートするべく、仮想セル識別情報の明示的な指定、または、ＵＥ固有ベースシーケンス割り当ての明示的な指定に基づき、アップリンクＣｏＭＰ協調セットの構成、ベースシーケンス割り当てを決定するように構成されているとしてよい。
【００４６】
図４は、実施形態に係るＵＥ固有ＵＬ  ＤＭ−ＲＳパラメータをシグナリングする処理を説明するためのフローチャート４００である。
【００４７】
ブロック４０２において、ＵＥは、準静的なＲＲＣシグナリングを用いて、ＵＥ固有ＤＭ−ＲＳパラメータのセットを複数受信するとしてよい。ＳＲＳパラメータの複数のセットは、セルによってブロードキャストまたはユニキャストするとしてよい。
【００４８】
ブロック４０４において、ＵＥは、媒体アクセス制御（ＭＡＣ）レベルのシグナリングを用いて、または、ＰＤＣＣＨが搬送する最新アップリンク関連ＤＣＩを用いて、ＤＭ−ＲＳ送信に用いられるべき、複数のセットから選択されたＤＭ−ＲＳパラメータのセットを示す情報を受信するとしてよい。実施形態によると、一のセットのＵＥ固有ＤＭ−ＲＳパラメータのみをＲＲＣ層で準静的にシグナリングする場合には、動的シグナリングによって利点が増えることはないとしてよい。
【００４９】
本明細書で説明するＵＥ１０２およびｅＮＢ１０４は、所望に応じて構成するべく任意の適切なハードウェアおよび／またはソフトウェアを用いてシステム内に実装するとしてよい。図５は、一実施形態について、１または複数のプロセッサ５０４、プロセッサ５０４のうち少なくとも１つに結合されているシステム制御ロジック５０８、システム制御ロジック５０８に結合されているシステムメモリ５１２、システム制御ロジック５０８に結合されている不揮発性メモリ（ＮＶＭ）／ストレージ５１６、および、システム制御ロジック５０８に結合されているネットワークインターフェース５２０を備えるシステム５００の例を示す。
【００５０】
１または複数のプロセッサ５０４は、１または複数のシングルコアプロセッサまたはマルチコアプロセッサを含むとしてよい。プロセッサ５０４は、汎用プロセッサおよび専用プロセッサ（例えば、グラフィクスプロセッサ、アプリケーションプロセッサ、ベースバンドプロセッサ等）の任意の組み合わせを含むとしてよい。システム５００がＵＥ１０４を実現するある実施形態によると、１または複数のプロセッサ５０４は通信モジュール１１２に含まれるとしてよい。システム５００がｅＮＢ１０８を実現するある実施形態によると、１または複数のプロセッサ５０４は通信モジュール１２８に含まれるとしてよい。さまざまな実施形態によると、１または複数のプロセッサ５０４およびシステムメモリ５１２は、ユーザプレーン回路１２２、制御プレーン回路１２４および／またはＲＲＣ回路１２６として構成されるとしてよい。さまざまな実施形態によると、１または複数のプロセッサ５０４およびシステムメモリ５１２は、ユーザプレーン回路１３８、制御プレーン回路１４０および／またはＲＲＣ回路１４４として構成されるとしてよい。
【００５１】
一実施形態に係るシステム制御ロジック５０８は、１または複数のプロセッサ５０４のうち少なくとも１つに対して、および／または、システム制御ロジック５０８と通信している任意の適切なデバイスまたはコンポーネントに対して、任意の適切なインターフェースを実現する任意の適切なインターフェースコントローラを有するとしてよい。
【００５２】
一実施形態に係るシステム制御ロジック５０８は、システムメモリ５１２に対するインターフェースを提供するべく１または複数のメモリコントローラを含むとしてよい。システムメモリ５１２は、例えば、システム５００についてのデータおよび／または命令をロードして格納するために用いられるとしてよい。一実施形態に係るシステムメモリ５１２は、任意の適切な揮発性メモリ、例えば、適切なダイナミックランダムアクセスメモリ（ＤＲＡＭ）等を含むとしてよい。
【００５３】
ＮＶＭ／ストレージ５１６は、例えば、データおよび／または命令を格納するために用いられる１または複数の有形で非一時的なコンピュータ可読媒体を含むとしてよい。ＮＶＭ／ストレージ５１６は、任意の適切な不揮発性メモリ、例えば、フラッシュメモリ等を含むとしてよく、および／または、任意の適切な１または複数の不揮発性ストレージデバイス、例えば、１または複数のハードディスクドライブ（ＨＤＤ）、１または複数のコンパクトディスク（ＣＤ）ドライブおよび／または１または複数のデジタルバーサティルディスク（ＤＶＤ）ドライブ等を含むとしてよい。
【００５４】
ＮＶＭ／ストレージ５１６は、システム５００がインストールされているデバイスの物理的に一部であるストレージリソースを含むか、または、必ずしも当該デバイスの一部ではないが当該デバイスによってアクセス可能であるとしてよい。例えば、ＮＶＭ／ストレージ５１６は、ネットワークインターフェース５２０を用いてネットワークを介してアクセスされるとしてよい。
【００５５】
システムメモリ５１２およびＮＶＭ／ストレージ５１６はそれぞれ、特に、命令５２４の一時的なコピーおよび永続的なコピーを含むとしてよい。命令５２４は、１または複数のプロセッサ５０４のうち少なくとも１つによって実行されるとシステム５００が本明細書で説明した図２から図４に説明した方法のうちいずれか１つを実施することになる命令を含むとしてよい。一部の実施形態によると、命令５２４、または、そのハードウェアコンポーネント、ファームウェアコンポーネントおよび／あるいはソフトウェアコンポーネントは、これに加えて／これに代えて、システム制御ロジック５０８、ネットワークインターフェース５２０および／または１または複数のプロセッサ５０４に位置しているとしてよい。
【００５６】
ネットワークインターフェース５２０は、１または複数のネットワークを介しておよび／または任意のその他の適切なデバイスとの間で通信を行うべくシステム５００の無線インターフェースを提供する送受信機５２２を含むとしてよい。送受信機５２２は、物理層回路１１８または１３２の一部で実現されるとしてよい。さまざまな実施形態によると、送受信機５２２は、システム５００の他のコンポーネントに集積化されるとしてよい。例えば、送受信機５２２は、１または複数のプロセッサ５０４のうち一のプロセッサ、システムメモリ５１２のメモリ、および、ＮＶＭ／ストレージ５１６のＮＶＭ／ストレージを含むとしてよい。ネットワークインターフェース５２０は、任意の適切なハードウェアおよび／またはファームウェアを含むとしてよい。ネットワークインターフェース５２０は、多入力多出力無線インターフェースを提供する複数のアンテナを含むとしてよい。一実施形態に係るネットワークインターフェース５２０は、例えば、ネットワークアダプタ、無線ネットワークアダプタ、電話モデムおよび／または無線モデムを含むとしてよい。
【００５７】
一実施形態によると、１または複数のプロセッサ５０４の少なくとも１つは、システム制御ロジック５０８の１または複数のコントローラのためのロジックと共にパッケージングされているとしてよい。一実施形態によると、１または複数のプロセッサ５０４のうち少なくとも１つは、システムインパッケージ（ＳｉＰ）を形成するべくシステム制御ロジック５０８の１または複数のコントローラのためのロジックと共にパッケージングされているとしてよい。一実施形態によると、１または複数のプロセッサ５０４のうち少なくとも１つは、システム制御ロジック５０８の１または複数のコントローラのためのロジックと共に同じダイ上に集積化されているとしてよい。一実施形態について、１または複数のプロセッサ５０４のうち少なくとも１つは、システムオンチップ（ＳｏＣ）を形成するべく、システム制御ロジック５０８の１または複数のコントローラのためのロジックと共に同じダイ上に集積化されているとしてよい。
【００５８】
システム５００はさらに、入出力（Ｉ／Ｏ）デバイス５３２を含むとしてよい。Ｉ／Ｏデバイス５３２は、システム５００との間でユーザがやり取りできるようにするよう設計されているユーザインターフェース、システム５００との間で周辺機器コンポーネントがやり取りできるようにするよう設計されている周辺機器コンポーネントインターフェース、および／または、システム５００に関連する環境条件および／または位置情報を決定するよう設計されているセンサを含むとしてよい。
【００５９】
さまざまな実施形態によると、ユーザインターフェースは、これらに限定されないが、ディスプレイ（例えば、液晶ディスプレイ、タッチスクリーンディスプレイ等）、スピーカ、マイクロフォン、１または複数のカメラ（例えば、静止カメラおよび／またはビデオカメラ）、フラッシュライト（例えば、発光ダイオードフラッシュ）およびキーボードを含むとしてよい。
【００６０】
さまざまな実施形態によると、周辺機器コンポーネントインターフェースは、これらに限定されないが、不揮発性メモリポート、オーディオジャックおよび電源インターフェースを含むとしてよい。
【００６１】
さまざまな実施形態によると、センサは、これらに限定されないが、ジャイロセンサ、加速度計、近接センサ、周囲光センサおよび位置決めユニットを含むとしてよい。位置決めユニットはさらに、位置決めネットワーク、例えば、グローバルポジショニングシステム（ＧＰＳ）衛星のコンポーネントと通信するネットワークインターフェース５２０の一部であるか、または、ネットワークインターフェース５２０とやり取りするとしてよい。
【００６２】
さまざまな実施形態によると、システム５００は、モバイルコンピューティングデバイス、これらに限定されないが、ラップトップコンピューティングデバイス、タブレットコンピューティングデバイス、ネットブック、スマートフォン等であってよい。さまざまな実施形態によると、システム５００が備えるコンポーネントはこれより増減するとしてもよいし、および／または、システム５００のアーキテクチャを変更するとしてもよい。
【００６３】
さまざまな実施形態は、複数の命令を格納するよう構成されている１または複数のコンピュータ可読格納媒体と、１または複数のコンピュータ可読格納媒体に結合されている１または複数のプロセッサとを備える装置を含む。１または複数のプロセッサは、複数の命令を実行することに応じて、ＣＳＩ−ＲＳリソース構成情報を受信し、ＣＳＩ−ＲＳ構成情報に基づいて複数のＣＳＩ−ＲＳインデックスを決定し、複数のＣＳＩ−ＲＳインデックスに基づいてアップリンクＣｏＭＰ協調セットの複数のポイントを特定するように構成されている。
【００６４】
１または複数のプロセッサおよび１または複数のコンピュータ可読媒体は、装置の制御プレーン回路として構成されるとしてよい。ＣＳＩ−ＲＳリソース構成情報は、ＣｏＭＰ初期化プロセスの一環として制御プレーン回路のＲＲＣ回路によって受信される。
【００６５】
ＣＳＩ−ＲＳリソース構成情報は、ＣＳＩ−ＲＳに対応付けられている送信パラメータを含むとしてよい。送信パラメータは、送信電力、周期、サブフレームオフセット、初期化シードおよび／または利用されているアンテナポートの数を含む。複数のＣＳＩ−ＲＳインデックスは、ＣＳＩ−ＲＳ構成情報に含まれるとしてよく、または、１または複数のプロセッサは、ＣＳＩ−ＲＳリソース構成情報に含まれているＣＳＩ−ＲＳの順序に基づいて、複数のＣＳＩ−ＲＳインデックスを決定するように構成されている。
【００６６】
一部の実施形態によると、１または複数のプロセッサは、メッセージを受信し、メッセージに基づいて、装置からアップリンクデータ送信を受信するＣｏＭＰ協調セットのポイントのサブセットを含むＣｏＭＰ  ＲＰセットを決定し、メッセージに基づいて、アップリンク電力制御パラメータを決定するように構成されているとしてよい。１または複数のプロセッサは、複数のＣｏＭＰ  ＲＰセットにそれぞれ対応している複数のアップリンク電力制御パラメータセットを受信し、ＣｏＭＰ  ＲＰセットに対応するアップリンク電力制御パラメータセットに基づいて、メッセージに含まれ得るアップリンク電力制御パラメータを決定するように構成されているとしてよい。
【００６７】
アップリンク電力制御パラメータは、ターゲット信号ノイズ比およびαを含むとしてよい。αは、部分的電力制御パラメータである。
【００６８】
１または複数のプロセッサはさらに、ＣｏＭＰ協調セットの１または複数のポイントからフィードバックされたメッセージに基づいてパスロス情報を決定するように構成されているとしてよい。１または複数のプロセッサはさらに、装置によって測定されるＣＳＩ−ＲＳ情報の平均受信電力に基づいてパスロス情報を決定するように構成されているとしてよい。
【００６９】
１または複数のプロセッサはさらに、ＲＲＣメッセージを用いて受信したアップリンクＣｏＭＰ協調セットの複数のポイントのうち好ましい一のポイントのＣＳＩ−ＲＳインデックスを準静的に決定するように構成されているとしてよい。複数のポイントのうち好ましい一のポイントは、装置からデータを能動的に受信するように構成されている。
【００７０】
１または複数のプロセッサはさらに、１または複数の仮想セル識別情報から複数のベースシーケンス、グループホッピングパターン、および／または、シーケンスホッピングパターンを導出するように構成されているとしてよい。
【００７１】
１または複数のプロセッサはさらに、受信ポイントセットにそれぞれ対応するアップリンク電力制御パラメータセットのリストを受信し、アップリンクＣｏＭＰ協調セットのサブセットである受信ポイントセットを決定し、受信ポイントセットに対応するアップリンク電力制御パラメータセットを決定し、アップリンク電力制御パラメータセットに基づいて受信ポイントセットに対するアップリンク信号の送信を制御するように構成されているとしてよい。
【００７２】
一部の実施形態は、複数の命令を格納するよう構成されている１または複数のコンピュータ可読媒体と、１または複数のコンピュータ可読媒体に結合されている１または複数のプロセッサとを備えるｅＮｏｄｅＢを開示する。１または複数のプロセッサは、複数の命令を実行することに応じて、アップリンク復調基準信号（ＤＭ−ＲＳ）のユーザ機器（ＵＥ）固有構成をサポートするように構成されており、複数のベースシーケンスをセルレベルで構成し、１または複数のＵＥの通信スケジュールを決定し、決定した通信スケジュールに基づいて、１または複数のＵＥに複数のベースシーケンスからの対応するベースシーケンスを動的に割り当てるように構成されている。
【００７３】
複数のベースシーケンスは、ＣｏＭＰ  ＣＲＭセットに対応付けられているとしてよい。
【００７４】
アップリンクＤＭ−ＲＳは、１または複数のＵＥのそれぞれが、複数のベースシーケンス、ＣＳホッピングパターン、グループホッピングパターン、シーケンスホッピングパターン、サイクリックシフト、および、１または複数のＵＥのそれぞれに対応付けられているＤＭ−ＲＳシーケンスを決定するためのＯＣＣのうち１つを選択できるようにするパラメータを含むとしてよい。
【００７５】
１または複数のプロセッサは、それぞれが複数のベースシーケンスのうち１つに対応する複数の仮想セル識別情報を、無線リソース制御（ＲＲＣ）レベルのブロードキャストシグナリングまたはＲＲＣレベルの専用シグナリングに基づいてＵＥに準静的にシグナリングするか、または、ＲＲＣレベルのブロードキャストシグナリングまたはＲＲＣレベルの専用シグナリングに基づいて、複数のベースシーケンスのうち１つに対応する一の仮想セル識別情報をＵＥに準静的にシグナリングするように構成されているとしてよい。
【００７６】
１または複数のプロセッサはさらに、ＭＡＣ−ＣＥを用いて複数の仮想セル識別情報のうち１つの動的な選択をシグナリングするように構成されているとしてよい。複数の仮想セル識別情報がブロードキャスト方式または専用方式のＲＲＣシグナリングを用いてＵＥに準静的にシグナリングされる場合、複数の仮想セル識別情報のうち１つは、複数のベースシーケンスのうち１つの導出を可能とする。または、１または複数のプロセッサはさらに、複数の仮想セル識別情報がブロードキャスト方式または専用方式のＲＲＣシグナリングを用いてＵＥに準静的にシグナリングされる場合、アップリンク電力制御パラメータを設定するために用いられるＭＡＣ−ＣＥメッセージングと、複数の仮想セル識別情報のうち１つの動的な選択とを組み合わせるように構成されているとしてよい。または、１または複数のプロセッサはさらに、複数の仮想セル識別情報がブロードキャスト方式または専用方式のＲＲＣシグナリングを用いてＵＥに準静的にシグナリングされる場合、複数の仮想セル識別情報のうち１つに割り当てられているインデックスと共に、ＰＤＣＣＨによって搬送されるＤＣＩにおいて、複数の仮想セル識別情報のうち１つの動的な選択をシグナリングするように構成されているとしてよい。
【００７７】
１または複数のプロセッサはさらに、アップリンクＤＭ−ＲＳに対応付けられている８個またはそれを超える個数のサイクリックシフト値のうち１つをシグナリングするように構成されているとしてよい。一部の実施形態によると、１または複数のプロセッサは、アップリンクＣｏＭＰ動作においてＳＲＳの容量を高めるべく８個またはそれを超える個数のサイクリックシフト値のうち１つをシグナリングするように構成されているとしてよい。
【００７８】
１または複数のプロセッサは、ＳＲＳ送信のオープンループ電力制御について１または複数のＵＥが利用可能なパスロス情報を取得するべく、複数のＣＳＩ−ＲＳインデックスのうち対応する１つによって指定される複数の受信ポイントのうち好ましい一の受信ポイントを準静的にシグナリングするように構成されているとしてよい。
【００７９】
１または複数のプロセッサは、アップリンクＣｏＭＰ協調セットに対応する複数のＣＳＩ−ＲＳリソースインデックスに対する信号を持つアップリンクＣｏＭＰ協調セットに基づいてＳＲＳ送信の電力制御パラメータを調整するように構成されているとしてよい。
【００８０】
一部の実施形態は、複数の命令を有する１または複数のコンピュータ可読媒体を開示している。複数の命令をユーザ機器（ＵＥ）のプロセッサで実行すると、ＵＥは、ＵＥが接続されているセルのサウンディング基準信号（ＳＲＳ）パラメータの複数のセットを無線リソース制御（ＲＲＣ）シグナリングを用いて受信することができ、ＳＲＳ送信のために利用されるべき、複数のセットから選択されたＳＲＳパラメータのセットを示す情報を、ＲＲＣレベルのシグナリングまたは媒体アクセス制御（ＭＡＣ）レベルのシグナリングを用いて、受信することができる。複数のセットは、セルによってブロードキャストまたはユニキャストされるとしてよい。
【００８１】
命令によってＵＥはさらに、アップリンクＣｏＭＰ協調セットに対応する複数のＣＳＩ−ＲＳリソースインデックスに対する信号を持つアップリンクマルチポイント協調（ＣｏＭＰ）協調セットに基づいて、ＳＲＳ送信の電力制御パラメータを調整することができるとしてよい。
【００８２】
一部の実施形態は、命令を有する１または複数のコンピュータ可読媒体を説明する。ｅＮｏｄｅＢのプロセッサが命令を実行すると、ｅＮｏｄｅＢは、マルチポイント協調（ＣｏＭＰ）動作をサポートできる。そして、ｅＮｏｄｅＢは、動的確認応答（ＡＣＫ）／否定確認応答（ＮＡＣＫ）を搬送する物理アップリンク制御チャネル（ＰＵＣＣＨ）の動的リソース配分のために、ＵＥ固有ＡＣＫおよびＮＡＣＫリソースオフセットＮ（１）ＰＵＣＣＨを決定し、ＡＣＫ／ＮＡＣＫリソースオフセットＮ（１）ＰＵＣＣＨを対応するＵＥに送信することができる。
【００８３】
命令によってｅＮｏｄｅＢは、ＰＵＣＣＨ形式１ａおよび１ｂについてＵＥ固有ＡＣＫ／ＮＡＣＫリソースオフセットＮ（１）ＰＵＣＣＨを決定することができるとしてよい。ＰＵＣＣＨ形式１ａおよび１ｂは、物理セルＩＤを利用するとしてよい。
【００８４】
命令によってｅＮｏｄｅＢは、ＵＥが利用するＰＵＣＣＨ形式毎に異なる仮想セルＩＤインデックスを送信できるとしてよい。
【００８５】
一部の実施形態は、ＣＳＩ−ＲＳリソース構成情報を受信する手段と、ＣＳＩ−ＲＳ構成情報に基づいて複数のＣＳＩ−ＲＳインデックスを決定する手段と、複数のＣＳＩ−ＲＳインデックスに基づいてアップリンクＣｏＭＰ協調セットの複数のポイントを特定する手段とを備える装置を開示する。ＣＳＩ−ＲＳリソース構成情報は、ＣｏＭＰ初期化プロセスの一環として、装置のＲＲＣ回路によって受信されるとしてよい。
【００８６】
ＣＳＩ−ＲＳリソース構成情報は、ＣＳＩ−ＲＳに対応付けられている送信パラメータを含むとしてよい。送信パラメータは、送信電力、周期、サブフレームオフセット、初期化シードおよび／または利用しているアンテナポートの数を含む。
【００８７】
当該装置はさらに、メッセージを受信する手段と、メッセージに基づいて、装置からアップリンクデータ送信を受信するＣｏＭＰ協調セットのポイントのサブセットを含むＣｏＭＰ受信ポイント（ＲＰ）セットを決定する手段と、メッセージに基づき、アップリンク電力制御パラメータを決定する手段と、複数のＣｏＭＰ  ＲＰセットにそれぞれ対応する複数のアップリンク電力制御パラメータセットを受信する手段と、ＣｏＭＰ  ＲＰセットに対応するアップリンク電力制御パラメータセットに基づいて、アップリンク電力制御パラメータを決定する手段とを備えるとしてよい。
【００８８】
一部の実施形態は、アップリンクＤＭ−ＲＳのＵＥ固有構成をサポートし、複数のベースシーケンスをセルレベルで構成し、１または複数のＵＥの通信スケジュールを決定し、決定した通信スケジュールに基づいて、複数のベースシーケンスからのそれぞれのベースシーケンスを、１または複数のＵＥに動的に割り当てる回路を備えるｅＮｏｄｅＢを開示している。複数のベースシーケンスは、特定のＣＲＭセットに対応付けられているとしてよい。
【００８９】
ｅＮｏｄｅＢ回路は、それぞれが複数のベースシーケンスのうち１つに対応する複数の仮想セル識別情報を、無線リソース制御（ＲＲＣ）レベルのブロードキャストシグナリングまたはＲＲＣレベルの専用シグナリングを用いて、ＵＥに準静的にシグナリングするか、または、ＲＲＣレベルのブロードキャストシグナリングまたはＲＲＣレベルの専用シグナリングを用いて、複数のベースシーケンスのうち１つに対応する一の仮想セル識別情報をＵＥに準静的にシグナリングするとしてよい。
【００９０】
ｅＮｏｄｅＢ回路は、媒体アクセス制御−制御要素（ＭＡＣ−ＣＥ）を用いて、複数の仮想セル識別情報のうち１つの動的な選択をシグナリングするとしてよい。複数の仮想セル識別情報がブロードキャスト方式または専用方式のＲＲＣシグナリングを用いてＵＥに準静的にシグナリングされる場合、複数の仮想セル識別情報のうち１つによって複数のベースシーケンスのうち１つの導出が可能となる。ｅＮｏｄｅＢ回路は、複数の仮想セル識別情報がブロードキャスト方式または専用方式のＲＲＣシグナリングを用いてＵＥに準静的にシグナリングされる場合、複数の仮想セル識別情報のうち１つの動的な選択と、アップリンク電力制御パラメータを設定するために用いられるＭＡＣ−ＣＥメッセージングとを組み合わせるとしてよい。または、ｅＮｏｄｅＢ回路は、複数の仮想セル識別情報がブロードキャスト方式または専用方式のＲＲＣシグナリングを用いてＵＥに準静的にシグナリングされる場合、複数の仮想セル識別情報のうち１つに割り当てられているインデックスで、物理ダウンリンク制御チャネル（ＰＤＣＣＨ）が搬送するダウンリンク制御情報（ＤＣＩ）において、複数の仮想セル識別情報のうち１つの動的な選択をシグナリングするとしてよい。
【００９１】
本明細書において説明を目的として特定の実施形態を図示および記載してきたが、本開示の範囲から逸脱することなく、図示および記載した実施形態に代えて、同じ目的を実現するように計算された多岐にわたる別のおよび／または均等な実施形態または実施例を実施し得るものである。本願は、本明細書で説明した実施形態の任意の適応例または変更例を含むことを意図している。このため、本明細書で説明した実施形態は、特許請求の範囲およびその均等物によってのみ限定されることは明らかである。
【図１】
2015512183.tif 000004
【図２】
2015512183.tif 000005
【図３】
2015512183.tif 000006
【図４】
2015512183.tif 000007
【図５】
2015512183.tif 000008
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
エボルブドユニバーサルモバイルテレコミュニケーションシステムテレストリアルラジオアクセスネットワークのセルに対応する物理層セル識別情報を決定する第１の回路と、
無線リソース制御シグナリングを用いて、前記物理層セル識別情報とは異なる仮想セル識別情報の指標を受信する第２の回路と、
前記仮想セル識別情報に少なくとも部分的に基づいて復調基準信号パラメータを生成する第３の回路と
を備えるユーザ機器。
【請求項２】
前記復調基準信号パラメータは、グループホッピングパターンである請求項１に記載のユーザ機器。
【請求項３】
前記復調基準信号パラメータは、物理アップリンク共有チャネルに対応付けられている請求項１または２に記載のユーザ機器。
【請求項４】
前記復調基準信号パラメータは、シーケンスホッピングパラメータである請求項１から３の何れか１項に記載のユーザ機器。
【請求項５】
前記仮想セル識別情報に少なくとも部分的に基づいて前記復調基準信号パラメータを生成することは、前記仮想セル識別情報で疑似ランダムシーケンス生成部を初期化することを含む請求項１から４の何れか１項に記載のユーザ機器。
【請求項６】
前記復調基準信号パラメータは、物理アップリンク共有チャネルの復調基準信号のサイクリックシフトである請求項１から５の何れか１項に記載のユーザ機器。
【請求項７】
位置決めネットワークと通信する第４の回路をさらに備える請求項１から６の何れか１項に記載のユーザ機器。
【請求項８】
前記第２の回路はさらに、前記仮想セル識別情報とは異なるサイクリックシフトホップ初期化値を受信し、
前記第３の回路はさらに、前記サイクリックシフトホップ初期化値で疑似ランダムシーケンス生成部を初期化することによって復調基準信号のサイクリックシフトを生成する請求項１から７の何れか１項に記載のユーザ機器。
【請求項９】
前記サイクリックシフトホップ初期化値は、無線リソース制御シグナリングを用いて受信される請求項８に記載のユーザ機器。
【請求項１０】
エボルブドユニバーサルモバイルテレコミュニケーションシステムテレストリアルラジオアクセスネットワークのセルに対応する物理層セル識別情報をユーザ機器に提供する第１の回路と、
前記物理層セル識別情報とは異なる仮想セル識別情報を選択する第２の回路と、
前記仮想セル識別情報の指標を、前記指標に少なくとも部分的に基づいて復調基準信号パラメータを生成する場合に用いるべく、無線リソース制御シグナリングを用いて前記ユーザ機器に提供する第３の回路と
を備えるｅＮＢ。
【請求項１１】
前記復調基準信号パラメータは、グループホッピングパターンである請求項１０に記載のｅＮＢ。
【請求項１２】
前記復調基準信号パラメータは、物理アップリンク共有チャネルに対応付けられている請求項１０または１１に記載のｅＮＢ。
【請求項１３】
前記復調基準信号パラメータは、シーケンスホッピングパラメータである請求項１０から１２の何れか１項に記載のｅＮＢ。
【請求項１４】
前記仮想セル識別情報の前記指標を前記指標に少なくとも部分的に基づいて復調基準信号パラメータを生成する場合に用いるべく前記ユーザ機器に提供することは、前記仮想セル識別情報で疑似ランダムシーケンス生成部を初期化する場合に用いる前記指標を前記ユーザ機器に提供することを含む請求項１０から１３の何れか１項に記載のｅＮＢ。
【請求項１５】
前記復調基準信号パラメータは、物理アップリンク共有チャネルの復調基準信号のサイクリックシフトである請求項１０から１４の何れか１項に記載のｅＮＢ。
【請求項１６】
前記仮想セル識別情報の前記指標は、前記指標に少なくとも部分的に基づいて前記復調基準信号パラメータを生成する場合に用いるべく、および、前記指標に少なくとも部分的に基づいてサウンディング基準信号パラメータを生成する場合に用いるべく、前記ユーザ機器に提供される請求項１０から１５の何れか１項に記載のｅＮＢ。
【請求項１７】
前記第２の回路はさらに、前記仮想セル識別情報とは異なるサイクリックシフトホップ初期化値を選択し、
前記第３の回路はさらに、前記サイクリックシフトホップ初期化値で疑似ランダムシーケンス生成部を初期化することによって復調基準信号のサイクリックシフトを生成する場合に用いられる前記サイクリックシフトホップ初期化値の指標を前記ユーザ機器に提供する請求項１０から１６の何れか１項に記載のｅＮＢ。
【請求項１８】
前記サイクリックシフトホップ初期化値は、無線リソース制御シグナリングを用いて提供される請求項１７に記載のｅＮＢ。
【請求項１９】
物理アップリンク制御チャネルのユーザ機器固有の確認応答および否定確認応答のリソースオフセットの指標を受信する第１の回路と、
前記確認応答および否定確認応答のリソースオフセットに少なくとも部分的に基づいて、物理アップリンク制御チャネルリソースを決定する第２の回路と、
確認応答および否定確認応答の送信について、決定された前記物理アップリンク制御チャネルリソースを利用する第３の回路と
を備えるユーザ機器。
【請求項２０】
前記確認応答および否定確認応答のリソースオフセットは、復調基準信号パラメータを生成するべく前記ユーザ機器が利用する仮想セル識別情報とは異なる請求項１９に記載のユーザ機器。
【請求項２１】
前記確認応答および否定確認応答のリソースオフセットの前記指標は、無線リソース制御シグナリングを用いて受信される請求項１９または２０に記載のユーザ機器。
【請求項２２】
物理アップリンク制御チャネルのユーザ機器固有の確認応答および否定確認応答のリソースオフセットを選択する第１の回路と、
前記確認応答および否定確認応答のリソースオフセットの指標を、前記指標に少なくとも部分的に基づいて物理アップリンク制御チャネルリソースを決定するために用いるべくユーザ機器に提供する第２の回路と、
決定した前記物理アップリンク制御チャネルリソースにおいて前記ユーザ機器から送信された確認応答および否定確認応答を受信する第３の回路と
を備えるｅＮＢ。
【請求項２３】
前記確認応答および否定確認応答のリソースオフセットは、復調基準信号パラメータを生成するべく前記ユーザ機器が利用する仮想セル識別情報とは異なる請求項２２に記載のｅＮＢ。
【請求項２４】
前記確認応答および否定確認応答のリソースオフセットの前記指標は、無線リソース制御シグナリングを用いて前記ユーザ機器に提供される請求項２２または２３に記載のｅＮＢ。
【手続補正２】
【補正対象書類名】明細書
【補正対象項目名】００９１
【補正方法】変更
【補正の内容】
【００９１】
本明細書において説明を目的として特定の実施形態を図示および記載してきたが、本開示の範囲から逸脱することなく、図示および記載した実施形態に代えて、同じ目的を実現するように計算された多岐にわたる別のおよび／または均等な実施形態または実施例を実施し得るものである。本願は、本明細書で説明した実施形態の任意の適応例または変更例を含むことを意図している。このため、本明細書で説明した実施形態は、特許請求の範囲およびその均等物によってのみ限定されることは明らかである。
［項目１］
複数の命令を格納する１または複数のコンピュータ可読格納媒体と、
前記１または複数のコンピュータ可読格納媒体に結合されている１または複数のプロセッサと
を備え、
前記１または複数のプロセッサは、前記複数の命令を実行することに応じて、
チャネル状態情報基準信号（ＣＳＩ−ＲＳ）リソース構成情報を受信し、
前記ＣＳＩ−ＲＳリソース構成情報に基づいて複数のＣＳＩ−ＲＳインデックスを決定し、
前記複数のＣＳＩ−ＲＳインデックスに基づいてアップリンクマルチポイント協調（ＣｏＭＰ）協調セットの複数のポイントを特定する装置。
［項目２］
前記１または複数のプロセッサおよび前記１または複数のコンピュータ可読媒体は、前記装置の制御プレーン回路として構成され、
前記ＣＳＩ−ＲＳリソース構成情報は、ＣｏＭＰ初期化プロセスの一環として前記制御プレーン回路の無線リソース制御（ＲＲＣ）回路によって受信される項目１に記載の装置。
［項目３］
前記ＣＳＩ−ＲＳリソース構成情報は、ＣＳＩ−ＲＳに対応付けられている複数の送信パラメータを含み、前記複数の送信パラメータは、送信電力、周期、サブフレームオフセット、複数の初期化シードおよび利用されているアンテナポートの数のうち少なくとも１つを含む項目１に記載の装置。
［項目４］
前記複数のＣＳＩ−ＲＳインデックスは前記ＣＳＩ−ＲＳリソース構成情報に含まれているか、または、前記１または複数のプロセッサは、前記ＣＳＩ−ＲＳリソース構成情報に含まれている複数のＣＳＩ−ＲＳの順序に基づいて、前記複数のＣＳＩ−ＲＳインデックスを決定する項目１に記載の装置。
［項目５］
前記１または複数のプロセッサはさらに、
メッセージを受信し、
前記メッセージに基づいて、前記装置からアップリンクデータ送信を受信する前記アップリンクＣｏＭＰ協調セットの前記複数のポイントのサブセットを含むＣｏＭＰ  受信ポイント（ＲＰ）セットを決定し、
前記メッセージに基づいて、複数のアップリンク電力制御パラメータを決定する項目１から４のいずれか一項に記載の装置。
［項目６］
前記１または複数のプロセッサはさらに、
複数のＣｏＭＰ  ＲＰセットにそれぞれ対応している複数のアップリンク電力制御パラメータセットを受信し、
前記ＣｏＭＰ  ＲＰセットに対応するアップリンク電力制御パラメータセットに基づいて、前記複数のアップリンク電力制御パラメータを決定する項目５に記載の装置。
［項目７］
前記複数のアップリンク電力制御パラメータは、前記メッセージに含まれ、ターゲット信号ノイズ比およびαを含み、αは、部分的電力制御率パラメータである項目５に記載の装置。
［項目８］
前記１または複数のプロセッサはさらに、前記アップリンクＣｏＭＰ協調セットの１または複数のポイントからフィードバックされたメッセージに基づいてパスロス情報を決定する項目１から４のいずれか一項に記載の装置。
［項目９］
前記１または複数のプロセッサはさらに、前記装置によって測定される前記ＣＳＩ−ＲＳリソース構成情報の平均受信電力に基づいて前記パスロス情報を決定する項目８に記載の装置。
［項目１０］
前記１または複数のプロセッサはさらに、ＲＲＣメッセージを用いて受信した前記アップリンクＣｏＭＰ協調セットの前記複数のポイントのうち好ましい一のポイントの対応するＣＳＩ−ＲＳインデックスを準静的に決定し、前記複数のポイントのうち前記好ましい一のポイントは、前記装置からデータを能動的に受信する項目１から４のいずれか一項に記載の装置。
［項目１１］
前記１または複数のプロセッサはさらに、１または複数の仮想セル識別情報から複数のベースシーケンス、複数のグループホッピングパターンおよび複数のシーケンスホッピングパターンのうち少なくとも１つを導出する項目１から４のいずれか一項に記載の装置。
［項目１２］
前記１または複数のプロセッサは、
複数の受信ポイントセットにそれぞれ対応する複数のアップリンク電力制御パラメータセットのリストを受信し、
前記アップリンクＣｏＭＰ協調セットのサブセットである受信ポイントセットを決定し、
前記受信ポイントセットに対応するアップリンク電力制御パラメータセットを決定し、
前記アップリンク電力制御パラメータセットに基づいて前記受信ポイントセットに対する複数のアップリンク信号の送信を制御する項目１から４のいずれか一項に記載の装置。
［項目１３］
複数の命令を格納する１または複数のコンピュータ可読媒体と、
前記１または複数のコンピュータ可読媒体に結合されている１または複数のプロセッサと
を備え、
前記１または複数のプロセッサは、前記複数の命令を実行することに応じて、複数のアップリンク復調基準信号（ＤＭ−ＲＳ）のユーザ機器（ＵＥ）固有構成をサポートし、前記１または複数のプロセッサは、
複数のベースシーケンスをセルレベルで構成し、
１または複数のＵＥの複数の通信スケジュールを決定し、
決定した前記複数の通信スケジュールに基づいて、前記１または複数のＵＥに、前記複数のベースシーケンスからの対応する複数のベースシーケンスを動的に割り当てるｅＮｏｄｅＢ。
［項目１４］
前記複数のベースシーケンスは、特定のマルチポイント協調（ＣｏＭＰ）リソース管理（ＣＲＭ）セットに対応付けられている項目１３に記載のｅＮｏｄｅＢ。
［項目１５］
前記アップリンクＤＭ−ＲＳは、前記１または複数のＵＥのそれぞれが前記複数のベースシーケンス、サイクリックシフト（ＣＳ）ホッピングパターン、グループホッピングパターン、シーケンスホッピングパターン、サイクリックシフト、および、前記１または複数のＵＥのそれぞれに対応付けられている複数のＤＭ−ＲＳシーケンスを決定するための直交カバーコード（ＯＣＣ）のうちの１つを選択できるようにする複数のパラメータを含む項目１３または１４に記載のｅＮｏｄｅＢ。
［項目１６］
前記１または複数のプロセッサは、
それぞれが前記複数のベースシーケンスのうち１つに対応する複数の仮想セル識別情報を、無線リソース制御（ＲＲＣ）レベルのブロードキャストシグナリングまたはＲＲＣレベルの専用シグナリングを用いて前記ＵＥに準静的にシグナリングするか、または、
ＲＲＣレベルのブロードキャストシグナリングまたはＲＲＣレベルの専用シグナリングを用いて、前記複数のベースシーケンスのうち１つに対応する一の仮想セル識別情報を前記ＵＥに準静的にシグナリングする項目１３または１４に記載のｅＮｏｄｅＢ。
［項目１７］
前記１または複数のプロセッサはさらに、
媒体アクセス制御−制御要素（ＭＡＣ−ＣＥ）を用いて複数の仮想セル識別情報のうち１つの動的な選択をシグナリングし、前記複数の仮想セル識別情報がブロードキャスト方式または専用方式のＲＲＣシグナリングを用いて準静的に前記ＵＥにシグナリングされる場合、前記複数の仮想セル識別情報のうち１つは、前記複数のベースシーケンスのうち１つの導出を可能とし、または、
前記１または複数のプロセッサはさらに、前記複数の仮想セル識別情報がブロードキャスト方式または専用方式のＲＲＣシグナリングを用いて前記ＵＥに準静的にシグナリングされる場合、複数のアップリンク電力制御パラメータを設定するために用いられるＭＡＣ−ＣＥメッセージングと、前記複数の仮想セル識別情報のうち１つの動的な選択とを組み合わせ、または、
前記１または複数のプロセッサはさらに、前記複数の仮想セル識別情報が準静的にブロードキャスト方式または専用方式のＲＲＣシグナリングを用いて前記ＵＥにシグナリングされる場合、前記複数の仮想セル識別情報のうち１つに割り当てられている複数のインデックスと共に、物理ダウンリンク制御チャネル（ＰＤＣＣＨ）によって搬送されるダウンリンク制御情報（ＤＣＩ）において、前記複数の仮想セル識別情報のうち１つの動的な選択をシグナリングする項目１３または１４に記載のｅＮｏｄｅＢ。
［項目１８］
前記１または複数のプロセッサはさらに、アップリンクＣｏＭＰ動作においてＳＲＳの容量を高めるべく８個または８個を超える数のサイクリックシフト値のうち１つをシグナリングする項目１３に記載のｅＮｏｄｅＢ。
［項目１９］
前記１または複数のプロセッサは、複数のＳＲＳ送信のオープンループ電力制御について前記１または複数のＵＥが利用可能なパスロス情報を取得するべく、複数のチャネル状態情報リソース信号（ＣＳＩ−ＲＳ）インデックスのうち対応する１つによって指定される複数の受信ポイントのうち好ましい一の受信ポイントを準静的にシグナリングする項目１３または１４に記載のｅＮｏｄｅＢ。
［項目２０］
前記１または複数のプロセッサは、アップリンクＣｏＭＰ協調セットに対応する複数のＣＳＩ−ＲＳリソースインデックスに対する複数の信号を持つ前記アップリンクＣｏＭＰ協調セットに基づいて、複数のＳＲＳ送信の複数の電力制御パラメータを調整する項目１３または１４に記載のｅＮｏｄｅＢ。
［項目２１］
ユーザ機器（ＵＥ）に、
前記ＵＥが接続されているセルのサウンディング基準信号（ＳＲＳ）パラメータの複数のセットを、無線リソース制御（ＲＲＣ）シグナリングを用いて、受信する手順と、
ＳＲＳ送信の為に利用されるべき、前記複数のセットから選択されたＳＲＳパラメータのセットを示す情報を、ＲＲＣレベルのシグナリングまたは媒体アクセス制御（ＭＡＣ）レベルのシグナリングを用いて、受信する手順と
を実行させるためのプログラムであって、
前記複数のセットは、前記セルによってブロードキャストまたはユニキャストされるプログラム。
［項目２２］
前記ＵＥにさらに、アップリンクマルチポイント協調（ＣｏＭＰ）協調セットに対応する複数のＣＳＩ−ＲＳリソースインデックスに対する複数の信号を持つ前記アップリンクＣｏＭＰ協調セットに基づいて、複数のＳＲＳ送信の複数の電力制御パラメータを調整する手順を実行させるための項目２１に記載のプログラム。
［項目２３］
ｅＮｏｄｅＢに、
複数のマルチポイント協調（ＣｏＭＰ）動作をサポートさせ、
動的な確認応答（ＡＣＫ）／否定確認応答（ＮＡＣＫ）を搬送する物理アップリンク制御チャネル（ＰＵＣＣＨ）の動的リソース配分のために、ＵＥ固有ＡＣＫおよびＮＡＣＫリソースオフセットＮ（１）ＰＵＣＣＨを決定する手順と、
前記ＵＥ固有ＡＣＫおよびＮＡＣＫリソースオフセットＮ（１）ＰＵＣＣＨを対応するＵＥに送信する手順と
を実行させるためのプログラム。
［項目２４］
前記ｅＮｏｄｅＢに、
ＰＵＣＣＨ形式１ａおよび１ｂについて前記ＵＥ固有ＡＣＫおよびＮＡＣＫリソースオフセットＮ（１）ＰＵＣＣＨを決定する手順を実行させ、
前記ＰＵＣＣＨ形式１ａおよび１ｂは、物理セルＩＤを利用する項目２３に記載のプログラム。
［項目２５］
前記ｅＮｏｄｅＢに、ＵＥが利用するＰＵＣＣＨ形式毎に異なる仮想セルＩＤインデックスを送信する手順を実行させるための項目２３または２４に記載のプログラム。
【国際調査報告】
2015512183.tif 000009
2015512183.tif 000010
2015512183.tif 000011
2015512183.tif 000012